(57)【要約】【課題】吹抜け空間部における照明器具による多種多様な明るさ感や広がり感などの雰囲気の違いを、実際に近いかたちで効果的に体感させることのできる吹抜照明体感用設備を提供する。【解決手段】住宅の吹抜け部における照明の状態を体感させる吹抜照明体感用設備１０であって、１階の床面から２階の天井面に至る天井高さを有する吹抜け空間部１９と、吹抜け空間部１９の南側の壁面に沿った２階の床高さ位置に設けられた手摺５１を有する２階通路部５０とからなり、２階通路部５０の下面には、複数種類のダウンライト５２ａ，５２ｂ，５２ｃ，５２ｄがその照度を調整可能に設けられている。吹抜け空間部１９には、上向型ブラケット照明器具５３ａ、下向型ブラケット照明器具５４ａ、透過型ブラケット照明器具５５ａ，５５ｂ、不透過型ブラケット照明器具５６ａ，５６ｂ、及びペンダント照明器具５７ａが、その照度を調整可能に設けられている。【選択図】図３
2011084910.tif 000002
【特許請求の範囲】
【請求項１】
住宅に設けられる吹抜け部における照明の状態を体感させる吹抜照明体感用設備であって、
下階の床面から上階の天井面に至る天井高さを有する、矩形平面形状を備える吹抜け空間部と、該吹抜け空間部の一側壁面に沿った上階の床高さ位置に、該吹抜け空間部に張り出して設けられた手摺を有する上階通路部とからなり、
前記上階通路部の下面には、複数種類のダウンライトがその照度を調整可能に設けられており、
前記吹抜け空間部の周囲の側壁面には、少なくとも、上向型ブラケット照明器具と、下向型ブラケット照明器具と、透過型ブラケット照明器具と、不透過型ブラケット照明器具とがその照度を調整可能に設けられており、
前記吹抜け空間部の天井面には、ペンダント照明器具がその照度を調整可能に設けられている吹抜照明体感用設備。
【請求項２】
前記手摺の前記吹抜け空間部に面した部分には、複数種類のスポットライトがその照度を調整可能に設けられている請求項1記載の吹抜照明体感用設備。
【請求項３】
前記手摺の直上部分の天井面には、ＬＥＤダウンライトがその照度を調整可能に設けられている請求項1又は２記載の吹抜照明体感用設備。
【請求項４】
前記吹抜け空間部には、照度を検出する照度検出センサが設けられている請求項１〜３のいずれかに記載の吹抜照明体感用設備。
【請求項５】
前記各照明器具の照度を調整する照度操作部と、前記照度検出センサによる照度の検出結果を表示する表示部とを備える請求項４記載の吹抜照明体感用設備。
【請求項６】
前記表示部は、表示された照度を得るための電力使用量を表示する機能を有する請求項５記載の光環境体感用設備。
【請求項７】
前記照度操作部及び／又は前記表示部は、携帯可能なポータブルタイプのリモコン装置に設けられている請求項５又は６記載の吹抜照明体感用設備。
【発明の詳細な説明】
【技術分野】
【０００１】
本発明は、吹抜照明体感用設備に関し、特に、住宅に設けられる吹抜け部における照明の状態を体感させる吹抜照明体感用設備に関する。
【背景技術】
【０００２】
近年の住宅では、様々な居住空間の配置が望まれるようになっており、天井高さが通常の天井高さよりも高くなった吹抜け空間部が設けられる場合がある。吹抜け空間部では、その天井高さが高いことから、天井面に照明器具を設置しても、十分な照明がその下部まで行き届かないため、壁に設置して使用するいわゆるブラケット照明器具を用いた照明設計がなされることが多い。
【０００３】
一方、吹抜け空間部の照明設計や照明器具の選択を行う際には、例えばユーザが、各種の照明器具のカタログを見ながら、専門業者のアドバイスを受けて照明器具の種類や個数、照明器具を設置すべき位置等を決定していたが、カタログを見ただけでは、選択した照明器具が所定の位置に設置された際に実際に体感される明るさや、醸し出される雰囲気等を感じ取ることは困難である。特に、吹抜け空間部では、その上下に亘る空間の広さから、照明設計や照明器具の選択によって、カタログ値などの数字上では分かりづらい多様な明るさ感や照明効果が得られることになる。
【０００４】
このようなことから、異なる種類の照明器具を取り付けた際の吹抜け空間部の雰囲気を実際に体感できるようにした、体感設備を備える建物展示棟が開発されている（例えば、特許文献１参照）。特許文献１の体感設備では、これの図１８や図２０に示すように、吹抜け空間部の上下方向の中間位置に、第１照明器具としてスポットライトＦ５や蛍光灯Ｆ７を設けると共に、第２照明器具としてダウンライトＦ６を設けておき、これらの照明器具を用いた照明効果の相違による吹抜け空間部の雰囲気を、比較しながら体感することができるようになっている。
【先行技術文献】
【特許文献】
【０００５】
【特許文献１】特開２０００−３４７５７３号公報
【発明の概要】
【発明が解決しようとする課題】
【０００６】
しかしながら、特許文献１の体感設備では、吹抜け空間部は、下階の床面から上階の天井面に至る天井高さを有する当該吹抜け空間部の上側半分に、室内側に張り出す壁面部分Ｆ３を設けただけの簡易なものであり、また照明器具の数や種類も限られているため、吹抜け空間部における照明器具による多種多様な明るさ感や広がり感などの雰囲気の違いを、実際に近いかたちで体感を通して効果的に学習させることは困難である。
【０００７】
本発明は、吹抜け空間部における照明器具による多種多様な明るさ感や広がり感などの雰囲気の違いを、実際に近いかたちで効果的に体感させることのできる吹抜照明体感用設備を提供することを目的とする。
【課題を解決するための手段】
【０００８】
本発明は、住宅に設けられる吹抜け部における照明の状態を体感させる吹抜照明体感用設備であって、下階の床面から上階の天井面に至る天井高さを有する、矩形平面形状を備える吹抜け空間部と、該吹抜け空間部の一側壁面に沿った上階の床高さ位置に、該吹抜け空間部に張り出して設けられた手摺を有する上階通路部とからなり、前記上階通路部の下面には、複数種類のダウンライトがその照度を調整可能に設けられており、前記吹抜け空間部の周囲の側壁面には、少なくとも、上向型ブラケット照明器具と、下向型ブラケット照明器具と、透過型ブラケット照明器具と、不透過型ブラケット照明器具とがその照度を調整可能に設けられており、前記吹抜け空間部の天井面には、ペンダント照明器具がその照度を調整可能に設けられている吹抜照明体感用設備を提供することにより、上記目的を達成したものである。
【０００９】
そして、本発明の吹抜照明体感用設備は、前記手摺には、複数種類のスポットライトがその照度を調整可能に設けられていることが好ましい。
【００１０】
また、本発明の吹抜照明体感用設備は、前記手摺の直上部分の天井面には、ＬＥＤダウンライトがその照度を調整可能に設けられていることが好ましい。
【００１１】
さらに、本発明の吹抜照明体感用設備は、前記吹抜け空間部には、照度を検出する照度検出センサが設けられていることが好ましい。
【００１２】
さらにまた、本発明の吹抜照明体感用設備は、前記各照明器具の照度を調整する照度操作部と、前記照度検出センサによる照度の検出結果を表示する表示部とを備えていることが好ましい。
【００１３】
また、本発明の吹抜照明体感用設備は、前記表示部が、表示された照度を得るための電力使用量を表示する機能を有していることが好ましい。
【００１４】
さらに、本発明の吹抜照明体感用設備は、前記照度操作部及び／又は前記表示部は、携帯可能なポータブルタイプのリモコン装置に設けらていることが好ましい。
【発明の効果】
【００１５】
本発明の吹抜照明体感用設備によれば、吹抜け空間部における照明器具による多種多様な明るさ感や広がり感などの雰囲気の違いを、実際に近いかたちで効果的に体感させることができる。
【図面の簡単な説明】
【００１６】
【図１】本発明の好ましい一実施形態に係る吹抜照明体感用設備が設けられた模擬住宅の１階部分の平面図である。
【図２】本発明の好ましい一実施形態に係る吹抜照明体感用設備が設けられた模擬住宅の２階部分の平面図である。
【図３】本発明の好ましい一実施形態に係る吹抜照明体感用設備の、（ａ）は１階部分の平面図、（ｂ）は２階部分の平面図である。
【発明を実施するための形態】
【００１７】
本発明の好ましい一実施形態に係る吹抜照明体感用設備１０は、図１及び図２に示すように、例えば住宅展示場に設置された、住宅建築物における様々な光環境を体感させるための２階建ての光環境体感用模擬住宅３０の一部として、当該光環境体感用模擬住宅３０の東側部分に設けられたものである。すなわち、光環境体感用模擬住宅３０は、例えば住宅建築物の購入を検討する購入予定者（ユーザ）が、好ましくは営業者に案内されて体感者として内部に立ち入ることにより、種々の光環境の下で、照明器具による照明の状態を実際に近いかたちで効果的に体感できるようにするための模擬住宅として設けられている。吹抜照明体感用設備１０は、このような光環境体感用模擬住宅３０の内部において、吹抜け空間部１９における照明器具による多種多様な雰囲気の違いを、実際に近いかたちで効果的に体感させることが可能な設備として設けられている。
【００１８】
そして、本実施形態の吹抜照明体感用設備１０は、住宅に設けられる吹抜け部における照明の状態を体感させる体感用設備であって、１階（下階）の床面から２階（上階）の天井面に至る天井高さを有する、矩形平面形状を備える吹抜け空間部１９と、この吹抜け空間部１９の南側の一側壁面に沿った２階の床高さ位置に、吹抜け空間部１９に張り出して設けられた手摺５１を有する２階通路部（上階通路部）５０とからなり、２階通路部５０の下面には、複数種類のダウンライト５２ａ，５２ｂ，５２ｃ，５２ｄがその照度を調整可能に設けられており、吹抜け空間部１９の周囲の側壁面には、少なくとも、上向型ブラケット照明器具５３ａと、下向型ブラケット照明器具５４ａと、透過型ブラケット照明器具５５ａ，５５ｂと、不透過型ブラケット照明器具５６ａ，５６ｂとがその照度を調整可能に設けられており、吹抜け空間部１９の天井面には、ペンダント照明器具５７ａがその照度を調整可能に設けられている。
【００１９】
また、本実施形態では、手摺５１の吹抜け空間部１９に面した部分には、複数種類のスポットライト５８ａ，５８ｂがその照度を調整可能に設けられており、手摺５１の直上部分の天井面には、ＬＥＤダウンライト５９ａがその照度を調整可能に設けられている。
【００２０】
本実施形態では、吹抜照明体感用設備１０は、２階建ての光環境体感用模擬住宅３０の一部として、これの東側部分に、１階部分と２階部分とに跨って設けられている。ここで、光環境体感用模擬住宅３０の1階部分には、図１に示すように、建物の北側に面した中央部分に玄関ポーチ２４が設けられており、この玄関ポーチ２４の南側に玄関１１が設けられている。玄関１１の南側には、建物の南側に面して玄関ホール１２が設けられており、玄関ポーチ２４、玄関１１、及び玄関ホール１２の東側に隣接して、リビング１３が玄関ホール１２から出入り可能に設けられている。またリビング１３の東側に隣接して、吹抜照明体感用設備１０を構成する吹抜け空間部１９が設けられている。さらに、玄関ポーチ２４、玄関１１、及び玄関ホール１２の西側に隣接して、２階への階段１４が玄関ホール１２から出入り可能に設けられている。
【００２１】
階段１４を介して1階部分から昇降する光環境体感用模擬住宅３０の２階部分には、図２に示すように、階段１４の東側に隣接して、２階ホール２０が階段１４から出入り可能に設けられている。２階ホール２０の東側には、南側に面した部分に２階通路部５０と連続する２階廊下２１が設けられている。２階廊下２１の北側には、洋室となった２部屋の個室２２，２３が２階ホール２０の東側に隣接して２階廊下２１から出入り可能に設けられている。また東側の個室２３の東側の部分は、吹抜け空間部１９の上部吹抜け部１９ａとなっている。
【００２２】
また、本実施形態では、光環境体感用模擬住宅３０の１階部分には、図１に示すように、当該１階部分の西側に配置されて、光体感コーナー４０が併設されている。この光体感コーナー４０においては、例えば床の素材による写り込みの差、各メーカーの色々な種類のＬＥＤダウンライトを用いた光の差、色々な種類のスポットライトを用いた光源による壁・照射物（絵画等）への効果の違い、スライドレールを使用した距離の相違による光の差、壁の素材による光の差等を体感できるようになっている。
【００２３】
そして、本実施形態によれば、光環境体感用模擬住宅３０の各部屋や各部位には、図１及び図２に示すように、複数種類の照明器具が、その照度を調整可能に設けられている。
【００２４】
すなわち、例えば玄関ポーチ２４には、ポーチ照明として、ＬＥＤアウトドアライト２４ａが設けられており、これによって例えばＬＥＤの活用を体感できるようになっている。
【００２５】
例えば玄関１１及び玄関ホール１２には、壁付け灯１１ａとしてフラット蛍光灯が設けられており、足元間接光１１ｂとして、シームレスランプが手前及び奥に設けられている。また天井部にシーリングライト１２ａが設けられており、南側の壁面にＬＥＤニッチライト１２ｂが取り付けられている。これらによって、例えば空間の中心の把握、足元間接光１１ｂの取付位置による写り込みの差、ダウンライト以外の照明計画、ＬＥＤの活用等を体感できるようになっている。
【００２６】
例えばリビング１３には、ＴＶ後ろの照明として、調光機能付きのシームレスラインコーニス照明１３ａや２灯のダウンライト１３ｂが取り付けられている。これらによって、例えば動線を考慮したコーニス照明１３ａの納まり、コーニス照明１３ａの注意点、コーニス照明１３ａとダウンライト１３ｂとのイメージの差、ダウンライト１３ｂのエッジラインと距離等を体感できるようになっている。
【００２７】
また、リビング１３には、ダウンライトとして、径１００ｍｍのダイクロイックハロゲン１３ｃ、径１００ｍｍのＬＥＤ１３ｄ、径１００ｍｍの蛍光灯１３ｅ、径１００ｍｍのミニクリプトン１３ｆ、径１００ｍｍのピンスポット１３ｇが各々２灯づつ設けられている。これらによって、例えば同径、同ピッチでの光源種類を体験（明るさの感覚、効果の違い）できると共に、ダウンライトの集中と均等のイメージを体感できるようになっている。また例えば蛍光灯ダウンライト１３ｅとＬＥＤダウンライト１３ｄとの均等配灯や、ＬＥＤダウンライト１３ｄだけの空間を体感できるようになっている。そして、シーリングライトとして蛍光灯シーリングライト１３ｈが設けられており、これらによって、例えばシーリングライト及び／又はダウンライトによる照明計画の見直しを体感できるようになっている。
【００２８】
例えば階段１４には、高さの異なる位置に上下２段にブラケット１４ａが設けられており、これによって例えばランプの交換体験による適正な取付け位置を体感できるようになっている。また、足元灯１４ｂが設けられており、これによって例えば階段照明としての足元灯１４ｂの効果や、補助照明としての足元灯１４ｂの効果を体感できるようになっている。さらに、径１００ｍｍの蛍光灯ダウンライト１４ｃ、径１２５ｍｍのＬＥＤダウンライト１４ｄが設けられており、これらによって例えば階段手摺上のダウンライトの明るさ体験や、階段上ダウンライトのランプ交換の体験をすることができるようになっている。
【００２９】
例えば２階ホール２０には、径１２５ｍｍの蛍光灯ダウンライト２０ａが設けられており、これによって例えば階段１４のブラケット１４ａと２階ホール２０のダウンライト２０ａによる計画を体感できるようになっている。また、コープ照明として、天井とのクリアランスが１５０ｍｍのシームレスライン２０ｂ、天井とのクリアランスが２５０ｍｍのシームレスライン２０ｃ、天井とのクリアランスが１５０ｍｍのＬＥＤベースライト２０ｄが設けられている。これらによって、例えばコープ照明のクリアランスによる光の広がりの差や、シームレスライン２０ｂ，２０ｃとＬＥＤベースライト２０ｄの印象の違いを体感できるようになっている。さらに、コープ照明として、幕板の高さが有効ランプ高さとなっているシームレスライン２０ｅ、幕板の高さが１００ｍｍのシームレスライン２０ｆ、幕板の高さが２０ｍｍのシームレスライン２０ｇが設けられている。これらによって、例えばコープ照明の幕板の高さによる光の広がりの差を体感できるようになっている。さらにまた、２階ホール２０の中央部分の天井には、３灯のダウンライト２０ｈが設けられている。
【００３０】
２階廊下２１には、コーニス照明として、シームレスライン２１ａが設けられており、これによって動線による見えがかりの確認（コーニス照明の失敗例）を体感できるようになっている。また、蛍光灯ダウンライト２１ｂが３灯、グレアレスダウンライト２１ｃが２灯設けられている。これらによって、例えば３灯と２灯と１灯による明るさの確認や、グレアレスダウンライト２１ｃによる配光の確認を体感できるようになっている。さらに、２階廊下２１の個室２２，２３側の壁面には、壁付け灯としてフットライト蛍光灯２１ｆが設けられている。
【００３１】
２部屋の個室２２，２３には、各々蛍光灯シーリングや白熱灯シーリング２２ａ，２３ａが設けられていると共に、一方の個室２２の床の色がダークブラウン、他方の個室２３の床の色がライトブラウンとなっている。これらによって、例えば同じ照明器具でも床の色によってどのように見えるか（床材の色による明るさ感の違い）を体感できるようになっている。また、一方の個室２２には、コープ照明として、シームレスライン２２ｂ、トラフ型蛍光灯２２ｃ、ミニキセノン２２ｄが設けられている。これらによって、個室空間における、例えば光源と器具の差による見え方の相違を体感できるようになっている。さらに、他方の個室２３には、コープ照明として、端までのシームレスライン２３ｂ、両端明けのシームレスライン２３ｃが設けられている。これらによって、個室空間における、例えば器具の設置方法による見え方の相違、カットオフライン、明るさの調整等を体感できるようになっている。
【００３２】
そして、本実施形態では、吹抜照明体感用設備１０は、図１及び図２に示すように、１階部分及び２階部分に跨って、光環境体感用模擬住宅３０の東側部分に設けられており、矩形平面形状（正方形の平面形状も含む）を備える吹抜け空間部１９と、吹抜け空間部１９の南側の側壁面に沿って設けられた２階通路部５０とを含んで構成されている。
【００３３】
吹抜け空間部１９は、図３（ａ），（ｂ）にも拡大して示すように、例えば４帖半程度の広さの縦長矩形の平面形状を有する居室部であって、例えば５０００ｍｍ程度の天井高さを有している。また、吹抜け空間部１９の１階部分は、西側に隣接するリビング１３と連通する、仕切り壁のない開放的な連続空間となっていると共に、吹抜け空間部１９の２階部分は、西側に隣接する個室２３と２階仕切り壁２５によって仕切られていることにより、上部吹抜け部１９ａを形成している。さらに、吹抜け空間部１９の北側の側壁及び東側の側壁には、窓２６ａ，２６ｂが、開閉可能に設けられており、これらの窓２６ａ，２６ｂは、ブラインド部材によって、適宜目隠しをすることができるようになっている。
【００３４】
２階通路部５０は、吹抜け空間部１９の南側の壁面に沿って、２階の床高さ位置に、例えば９１０ｍｍ程度の通路幅で、個室２２，２３の南側の２階廊下２１と連続して、吹抜け空間部１９の東側の壁面に至るように設けられている。この２階通路部５０には、２階廊下２１から出入り口２７を介して出入り可能となっている。また、２階通路部５０の吹抜け空間部１９に面した部分に沿って、例えば腰壁からなる手摺５１が、２階廊下２１から吹抜け空間部１９の東側の壁面に至るまで連続して設けられている。
【００３５】
そして、本実施形態によれば、上述の構成を有する吹抜け空間部１９には、複数種類の照明器具が、これらの照明器具による照明効果を体感させ易い位置に配置されて、照度を調整可能に多数設けられている。
【００３６】
すなわち、２階通路部５０の下面には、図１に示すように、ダウンライトとして、径１２５ｍｍの蛍光灯５２ａが６灯、径１２５ｍｍのミニクリプトン５２ｂが６灯、径１２５ｍｍ角の蛍光灯５２ｃが２灯、径１２５ｍｍのウォールウォッシャー５２ｄが２灯、例えば３００ｍｍ程度のピッチで縦横に２列に配置されて設けられている。これらによって、例えばダウンライトとダウンライトとの距離の差によるエッジの出方等の効果の相違、ダウンライトと壁との距離の差によるエッジの出方等の効果の相違、角形ダウンライト５２ｃの壁へのエッジの出方、ウォールウォッシャー５２ｄの壁への効果等を体感できるようになっている。
【００３７】
また、吹抜け空間部１９の１階部分には、床面から例えば１８５０ｍｍの高さ位置に配置されて、上向型ブラケット照明器具５３ａが、北側の側壁面に１灯設けられており、下向型ブラケット照明器具５４ａが、北側の側壁面及び東側の側壁面に１灯づつ２箇所に設けられている。さらに、吹抜け空間部１９の１階部分には、床面から例えば１８００ｍｍの高さ位置に配置されて、透過型ブラケット照明器具５５ａと不透過型ブラケット照明器具５６ａとが、東側の側壁面に１灯づつ設けられている。これらによって、例えば素材、配光の異なる壁付け灯の明るさなどの効果の比較等を体感できるようになっている。
【００３８】
さらにまた、吹抜け空間部１９の２階部分の上部吹抜け部１９ａには、床面から例えば２７００ｍｍの高さ位置に配置されて、透過型蛍光灯ブラケット照明器具５５ｂと、不透過型蛍光灯ブラケット照明器具５６ｂとが、東側の個室２３との間の２階仕切り壁２５による西側の側壁面に１灯づつ設けられている。これらによって、例えば素材の相違による効果の差等を体感できるようになっている。
【００３９】
また、上部吹抜け部１９ａには、ペンダント照明器具５７ａが、天井面から吊り下げられた状態で１灯設けられており、床面から例えば２７００〜２８００ｍｍの高さ位置に配置されて、３灯の透過型スポットライト５８ａと３灯の不透過型スポットライト５８ｂとが、２階通路部５０の手摺５１の吹抜け空間部１９に面した部分に設けられている。また手摺５１の直上部分の天井面には、高効率タイプのＬＥＤダウンライト５９ａが２灯設けられている。これらによって、例えば素材の相違による効果の差、スポットライトの方向による効果の差、吹き抜けの照明技法の種類等を体感できるようになっている。
【００４０】
さらに、本実施形態では、２階通路部５０の天井面には、ユニバーサルダウンライト２１ｄが設けられている。これによって、手摺５１の直上部分の天井面にＬＥＤダウンライト５９ａが設けられていることと相俟って、例えばユニバーサル体験ができるようになっていると共に、吹抜け空間部１９に面した２階通路部５０のダウンライトによる効果を体感できるようになっている。
【００４１】
そして、本実施形態では、光環境体感用模擬住宅３０の各部屋や各部位に設けられた多数の照明器具は、例えば１階のリビング１３の南側の内壁面に取り付けた操作パネル１７と、例えば有線又は無線のネットワークを介して各々接続されており（図１参照）、操作パネル１７からの操作によって、各照明器具を照射させたり、その照度を調整したりすることができるようになっている。また操作パネル１７を、例えばコンピュータを用いた制御部等と接続しておき、所定のプログラムに従って、所定の順序で各照明器具を自動的に照射させたり、照度を自動的に調整させたりすることも可能である。
【００４２】
また、本実施形態では、吹抜照明体感用設備１０の吹抜け空間部１９を含む各部屋や各部位には、照度検出センサ１６が、例えば床部分に嵌め込まれるようにして設けられている。これらの照度検出センサ１６は、例えば操作パネル１７と併設して設けられた表示部１８（図１参照）と、例えば有線又は無線のネットワークを介して各々接続されており、照度検出センサ１６による照度の検出結果を、表示部１８に表示することができるようになっている。
【００４３】
さらに、本実施形態では、表示部１８は、例えば有線又は無線のネットワークを介して各照明器具に電力を供給する際の電力計と接続しており、これによって表示部１８に、表示された照度を得るための電力使用量を表示できるようになっている。すなわち、各部屋や各部位に設置された照明器具には、これらの照明器具への配線の途中に電力計が各々取り付けられており、照明器具に供給された電力を電力計からの出力信号として表示部１８に出力することで、所定の照度を得るための電力使用量を表示できるようになっている。
【００４４】
ここで、照度操作部１７や表示部１８は、携帯可能なポータブルタイプのリモコン装置に設けることもできる。照度操作部１７や表示部１８をポータブルタイプのリモコン装置に設けることによって、営業者や体感者が光環境体感用模擬住宅３０や吹抜照明体感用設備１０の内部を移動しながら、手元の操作によってリアルタイムで任意の照明器具を照射させたり、リアルタイムで照明器具の照度を調整することが可能になり、利便性が向上すると共に、任煮の明るさに変化した各部屋や各部位の照度や電力使用量を手元で容易に確認することが可能になる。
【００４５】
そして、上述の構成を有する本実施形態の吹抜照明体感用設備１０によれば、吹抜け空間部１９における照明器具による多種多様な明るさ感や広がり感などの雰囲気の違いを、実際に近いかたちで効果的に体感させることが可能になる。すなわち、本実施形態によれば、吹抜照明体感用設備１０は、１階の床面から２階の天井面に至る天井高さを有する吹抜け空間部１９と、２階の床高さ位置に吹抜け空間部１９側に張り出して設けられた手摺５１を有する２階通路部５０とからなり、２階通路部５０の下面には、複数種類のダウンライト５２ａ，５２ｂ，５２ｃ，５２ｄがその照度を調整可能に設けられており、吹抜け空間部１９の周囲の側壁面には、少なくとも、上向型ブラケット照明器具５３ａと、下向型ブラケット照明器具５４ａと、透過型ブラケット照明器具５５ａ，５５ｂと、不透過型ブラケット照明器具５６ａ，５６ｂとがその照度を調整可能に設けられており、吹抜け空間部１９の天井面には、ペンダント照明器具５７ａがその照度を調整可能に設けられているので、住宅に実際に設けられる吹抜け部と同様の広がりや設備を備える吹抜け空間部１９において、多数の照明器具から照射する照明器具を適宜選択したり、その照度を適宜調整することによって、多種多様な明るさ感や広がり感などの雰囲気の違いを、実際に近いかたちで効果的に体感させることが可能になる。
【００４６】
また、吹抜照明体感用設備１０において、吹抜け空間部１９における多種多様な明るさ感や広がり感などの雰囲気の違いを、体感を通して学習することが可能になり、このような体感を通した学習によって、照明設計や、照明器具の選定を効果的に且つ高品質に行うことが可能になる。
【００４７】
なお、本発明は上記実施形態に限定されることなく種々の変更が可能である。例えば、吹抜照明体感用設備は、光環境体感用模擬住宅の一部として設ける必要は必ずしもなく、モデルハウスやモデルルーム等の一部として設けたり、吹抜照明体感用設備を単独で設けたりすることもできる。
【符号の説明】
【００４８】
１０  吹抜照明体感用設備
１６  照度検出センサ
１７  操作パネル
１８  表示部
１９  吹抜け空間部
３０  光環境体感用模擬住宅
５０  ２階通路部（上階通路部）
５１  手摺
５２ａ，５２ｂ，５２ｃ，５２ｄ  ダウンライト
５３ａ  上向型ブラケット照明器具
５４ａ  下向型ブラケット照明器具
５５ａ，５５ｂ  透過型ブラケット照明器具
５６ａ，５６ｂ  不透過型ブラケット照明器具
５７ａ  ペンダント照明器具
５８ａ，５８ｂ  スポットライト
５９ａ  ＬＥＤダウンライト
【図１】
2011084910.tif 000003
【図２】
2011084910.tif 000004
【図３】
2011084910.tif 000005